(57)【要約】視認距離を減少させることができるフロント型のパララックスバリアを用いた立体画像表示装置を提供する。前記立体画像表示装置には以下が含まれる。後偏光フィルムがその後面上に積層され、第１スイッチング素子層がその前面上に積層される第１基板と、カラーフィルター層がその上に積層される第２基板と、前記第１スイッチング素子層と前記カラーフィルター層間に挟入された第１液晶層と、を有する２Ｄ画像液晶表示パネルと；前偏光フィルムがその前面上に積層され、透明電極層がその後面上に積層される第３基板と、保護フィルムと、前記透明電極層と前記保護フィルム間に挟入された第２液晶層と、を有するパララックスバリアと；前記パララックスバリアの保護フィルムと前記２Ｄ画像液晶表示パネルの第２基板間に挟入された中間偏光フィルム。【選択図】図４
2009524117.tif 000002
【特許請求の範囲】
【請求項１】
以下を含む立体画像表示装置。後偏光フィルムがその後面上に積層され、第１スイッチング素子層がその前面上に積層される第１基板と、カラーフィルター層がその上に積層される第２基板と、前記第１スイッチング素子層と前記カラーフィルター層間に挟入された第１液晶層と、を有する２Ｄ画像液晶表示パネルと、
前偏光フィルムがその前面上に積層され、透明電極層がその後面上に積層される第３基板と、保護フィルムと、前記透明電極層と前記保護フィルム間に挟入された第２液晶層と、を有するパララックスバリアと、
前記パララックスバリアの保護フィルムと前記２Ｄ画像液晶表示パネルの第２基板間に挟入された中間偏光フィルム。
【請求項２】
前記２Ｄ画像液晶表示パネルが、ＴＮ、ＳＴＮ、ＦＳＴＮ、ＨＴＮ、及びＣＳＴＮ液晶表示パネルの任意の１つの液晶表示パネルであることを特徴とする請求項１に記載の立体画像表示装置。
【請求項３】
前記パララックスバリアが、ＴＮ、ＳＴＮ、ＦＳＴＮ、ＨＴＮ、及びＣＳＴＮ液晶表示パネルの任意の１つの液晶表示パネル又はフィルムタイプであることを特徴とする請求項１に記載の立体画像表示装置。
【請求項４】
前記保護フィルムの厚さが０.１ｍｍ〜０.３ｍｍの範囲であることを特徴とする請求項１〜３の任意の１項に記載の立体画像表示装置。
【発明の詳細な説明】
【技術分野】
【０００１】
本発明は立体画像表示装置に関するものであり、特に、視認距離を減少できるフロント型のパララックスバリアを用いた立体画像表示装置に関するものである。
【背景技術】
【０００２】
立体画像の表示方法には、偏光眼鏡を用いた方法と偏光眼鏡を用いない方法とが含まれる。偏光眼鏡を用いた方法は立体画像表示装置に広く使用されていない。その理由は、眼鏡をかけることによって生じる不便さと、眼疾病の危険性があることである。偏光眼鏡を用いない方法は、レンズ法、ホログラフィック法、及びパララックスバリア法に分類される。レンズ法とホログラフィック法は、その構造が複雑であり、高コストを必要とするので、特定用途向けのみに使用される。パララックスバリア法は最も活発に研究、商業化されている。
【０００３】
パララックスバリア法の原理は２０世紀の初期に示唆されたが、パララックスバリア法を用いた立体画像表示装置の開発は、液晶表示装置、プラズマ表示パネル、及び有機エレクトロルミネッセンス表示装置などのフラットパネル表示装置が登場してから正規化されている。最近では、リア型パララックスバリア立体画像表示装置が市場に供給されている。前記リア型パララックスバリア立体画像表示装置とは、パララックスバリアが画像表示パネルの前部に配置される構造を持つ立体画像表示装置を意味する。
【０００４】
過去のリア型パララックスバリア立体画像表示装置には、低輝度、複雑な製造プロセス、高コストなどのような問題点がある。
【０００５】
過去のリア型パララックスバリア立体画像表示装置の問題点を解決するために、フロント型のパララックスバリア立体画像表示装置の開発が試みられている。しかしながら、前記フロント型のパララックスバリア立体画像表示装置には視認距離（立体画像が視認される距離）が大きいという問題がある。このため、前記フロント型のパララックスバリア立体画像表示装置は、その簡素な製造工程や高輝度という利点にもかかわらず商業化されなかった。本発明の発明者は先ず、商業化が可能なフロント型のパララックスバリア立体画像表示装置を提案するものである。言い換えれば、前記フロント型のパララックスバリア立体画像表示装置はこれまでに当技術分野において公知されていないが、説明の便宜上、本発明者の過去の試みを従来技術と呼ぶことにする。
【０００６】
以下、過去のフロント型のパララックスバリア立体画像表示装置の問題点を図面を参照して説明する。
【０００７】
図１は、通常の２Ｄ画像液晶表示（ＬＣＤ）パネルを図式的に説明する断面図である。２Ｄ画像液晶表示パネル１０には、後偏光フィルム１１がその後面上に積層され、第１スイッチング素子層１３がその前面上に積層される第１基板１２と、カラーフィルター層１５がその後面上に積層され、前偏光フィルム１８がその前面上に積層される第２基板１６と、が含まれる。ここでは、液晶層１４が前記第１スイッチング層１３と前記カラーフィルター層１５間に挟入され、薄フィルムトランジスタ（ＴＦＴ）液晶表示パネルを前記２Ｄ画像液晶表示パネル１０として使用することができる。この場合、前記第１スイッチング素子層１３の第１スイッチング素子はＴＦＴである。前記ＴＦＴ液晶表示パネルの構造と操作性は当技術分野で広く公知されているので、その説明は簡略にする。
【０００８】
前記後偏光フィルム１１はバックライト（図示せず）から放射された白色光を偏光する働きをする。前記第１及び第２基板１２及び１６はガラスからなる。
【０００９】
前記第１基板１２は、前記第１スイッチング素子層１３の基層と画素電極層（図示せず）としての機能を果たす。前記ＴＦＴは前記第１スイッチング素子層１３におけるマトリックス内に配設される。画像（２Ｄ画像）は画像信号に基づいて前記ＴＦＴを駆動することによって表示される。図示していないが、ＩＴＯ又は同種のものからなる前記画素電極層は前記第１スイッチング素子層１３の下に配置される。
【００１０】
前記第２基板１６は、前記カラーフィルター層１５及び同種のものを形成するための基層としての機能を果たし、外部の衝撃から前記液晶を機械的に保護する働きをする。また、前記第２基板１６は、外部から酸素や水分が前記液晶に浸透することを防止する働きをする。よって、前記第２基板は０.５〜０.７ｍｍの厚さを有するガラス材からなる。
【００１１】
前記第２基板１６の後部において形成された前記カラーフィルター層１５では、ＲＧＢカラーフィルターが所定のパターンで配設される。
【００１２】
前記図に示していないが、ＩＴＯ又は同種のものからなる共通電極層が前記カラーフィルター層１５の下に配置される。配線１７を介して前記画素電極層と前記共通電極層間に電圧を印加することによって、前記液晶分子は整列され、画像が前記第１スイッチング素子層１３の個々のスイッチング素子をオンオフすることによって表示される。
【００１３】
上記のように、液晶からなる第１液晶層１４は、前記第１スイッチング素子層１３と前記カラーフィルター層１５間、つまり、前記第１スイッチング素子層１３と前記共通電極層間に挟入される。
【００１４】
図示していないが、アライメント層が前記液晶を当初整列させるように設けられる。
前記第１液晶層１４を貫通する光は前記ＲＧＢカラーフィルターによって所定の色を持つ。
【００１５】
この構成により、２Ｄ画像が前記２Ｄ画像表示パネル１０上に表示される。一方、前記２Ｄ画像は、前記立体画像表示装置において使用されるため、左目画像と右眼画像に分割・表示される。
【００１６】
次に、一般的なパララックスバリア液晶表示パネルを図２参照をして説明する。
【００１７】
図２は、一般的なパララックスバリア液晶表示パネルを図式的に説明する断面図である。
【００１８】
図２を参照すると、前記パララックスバリア液晶表示パネル２０には、後偏光フィルム２１が少なくともその後面上に積層され、透明電極層２３と保護フィルム２５とがその前面上に積層される第３基板が含まれる。ここで、第２液晶層２４が前記透明電極層２３と前記保護フィルム２５間に挟入される。一方、前偏光フィルム２８が前記保護フィルム２５上に積層される。
【００１９】
複数の透明電極が前記透明電極層２３においてバンド形状に配設される。同様に、複数の対向電極が、前記複数個の透明電極に対向するように、対向電極層に配設される。
【００２０】
前記第２液晶層２４の液晶分子は、配線２７を介して前記透明電極と前記対向電極間に印加される電圧に応じて整列される。前記ＴＦＴ液晶表示パネルから入射された光は、前記液晶分子の整列方向に応じて遮断されるか又は透過される。
【００２１】
よって、前記液晶層はパララックスバリアとしての機能を果たす。
【００２２】
光の遮断／透過機能を持つかかるバンド形状部材はパララックスバリアと呼ばれる。前記パララックスバリアは、その左目画像とその右眼画像とがそれぞれ左目と右目に入射されるように前記２Ｄ画像液晶表示パネル１０上に表示させることによって、観察者が立体画像を見ることを可能にする。
【００２３】
前記パララックスバリア液晶表示パネル２０はＴＮ（ねじれネマチック）液晶を用いた液晶表示パネルとして具体化することが可能である。あるいは、前記パララックスバリア液晶表示パネル２０にはＳＴＮ（超ねじれネマチック）液晶又はＦＴＮ（フィルム補償型超ねじれネマチック）液晶を用いてもよい。
【００２４】
ここで、前記保護フィルム２５は、前記液晶層を保護し、外部の衝撃に耐えることができるように厚層で構成される。前記保護フィルム２５の厚さは通常、０.５５〜１.１ｍｍの範囲にある。
【００２５】
図３は公知の立体画像表示装置を図式的に説明する断面図である。
【００２６】
過去の立体画像表示装置では、前記パララックスバリア液晶表示パネル２０は前記２Ｄ画像液晶表示パネル１０の前面に取り付けられる。かかる構造を持つ立体画像表示装置はフロント型のパララックスバリア立体画像表示装置と呼ばれる。
【００２７】
図３を参照すると、公知の立体画像表示装置は、図１に示した前記２Ｄ画像液晶表示パネル１０の前面（前偏光フィルム１８）と、図２に示した前記パララックスバリア液晶表示パネル２０の後面（後偏光フィルム２１）と、を互いに結合することによって形成することが可能である。しかしながら、前記前偏光フィルム１８や前記後偏光フィルム２１と同一の働きをするので、その１つを省略することができる。図３では、前記偏光フィルムを中間偏光フィルム１８’として示す。
【００２８】
これから、前述の構造を持つ公知の立体画像表示装置の視認距離を説明する。
【００２９】
図３では、画像と前記パララックスバリア間の距離ｅが前記第１液晶層１４から前記第２液晶層２４までの距離に相当する。
【００３０】
前記図に示すように、前記カラーフィルター層１５、前記第２基板１６、前記中間偏光フィルム１８'、前記第３基板、及び前記透明電極層２３は、前記第１液晶層１４と前記第２液晶層２４間に挟入される。ここで、前記カラーフィルター層１５が前記第２基板上に成膜された非常に薄いフィルム（例えばクロムが堆積されたフィルム）なので、前記カラーフィルター層１５の厚さは、画像と前記パララックスバリア間の距離ｅの計算において考慮する必要がない。同様に、前記保護フィルム上に形成されたＩＴＯ層などが非常に薄いので、それらの層はまとめて保護層と呼ばれる。画像と前記パララックスバリア間の距離ｅの計算時には、前記カラーフィルター層１５の厚さが前記第２基板１６の厚さに含まれることが前提とされる。
【００３１】
モニター用立体画像表示装置では、通常、前記第２基板１６は約０.７ｍｍの厚さを有し、前記中間偏光フィルム１８’は約０.３ｍｍの厚さを有し、さらに前記第３基板２２は約０.７ｍｍの厚さを有する。その全厚は約１.７ｍｍである。携帯端末用の立体画像表示装置では、通常、前記第２基板１６は約０.５ｍｍの厚さを有し、前記中間偏光フィルム１８’は０.１〜０.３ｍｍの厚さを有し、さらに前記第３基板２２は約０.５ｍｍの厚さを有する。その全厚は約１.３ｍｍである。よって、画像と前記パララックスバリア間の距離ｅは１.３ｍｍ未満であり得ない。
【００３２】
観察者は、前記立体画像の焦点に両眼を位置させることによって立体画像を認識することが可能である。前記立体画像の焦点間の距離は視認距離Ｌとして定義される。
【００３３】
視認距離Ｌは、画像と前記パララックスバリア間の距離ｅ、眼間距離Ｅ、及びピクセル幅Ｐに基づいて決定され、式１によって表される。
【数１】
2009524117.tif 000003
【００３４】
ここで、前記眼間距離Ｅは左目と右目間の距離であり、人によって異なる。平均眼間距離は約６.５ｃｍである。前記ピクセル幅Ｐは画像表示装置の画素間の距離であり、式１から明らかなように視認距離Ｌに逆比例する。ピクセル幅の減少は画像の解像度を増加させるが、その視認距離も増加させる。
【００３５】
つまり、ピクセル幅は視認距離とトレードオフ関係を持つ。一般に、モニター用画像表示装置は約１００μｍピクセル幅を持ち、個人携帯端末用画像表示装置は約６０μｍピクセル幅を持つ。
【００３６】
画像と前記パララックスバリア間の距離ｅを式１に代入すると、モニター用立体画像表示装置の視認距離約１.１ｍが得られ、携帯端末用立体画像表示装置の視認距離約１.３ｍが得られる。このように、前記フロント型のパララックスバリア立体画像表示装置は約１.２ｍの視認距離を有する。
【００３７】
「視認距離１.２ｍ」とは、観察者が画像表示装置から１.２ｍの距離で立体画像を認識できることを意味する。
【００３８】
前記フロント型のパララックスバリア立体画像表示装置がテレビ受像機に適用される場合、観察者と画面との間隔は十分にとられるので、１.２ｍの視認距離は問題とならない。
【００３９】
しかしながら、前記フロント型のパララックスバリア立体画像表示装置がコンピュータモニターに適用される場合には、１.２ｍの視認距離は重大な問題となる。例えば、ゲーマー（観察者）がコンピュータモニターを見ながら３Ｄゲームをプレイする場合、前記ゲーマーはその画面を見ながらキーボード又はジョイスティックを使用してコマンドを入力しなければならないが、人間の平均的な腕の長さが一般に７０ｃｍ以下であるので、前記ゲーマーは立体画像を認識すると同時にゲームをプレイすることができない。
【００４０】
また、前記フロント型のパララックスバリア立体画像表示装置が携帯電話やＰＤＡなどの携帯端末に適用される場合にも、１.２ｍの視認距離は重大な問題となる。つまり、携帯端末を使用することによって立体画像を認識すると同時に、立体ゲームサービスを楽しんだり、立体画像情報を確認することは可能でない。携帯端末の画面が小型なので、前記フロント型のパララックスバリア立体画像表示装置を用いることによって画像を認識することは可能でない。
【００４１】
携帯端末に必要な視認距離Ｌは３０〜４０ｃｍの範囲である。よって、携帯端末の４０〜９０ｃｍのダイヤモンドゾーン（後述する）が考慮されるときでさえも、公知のフロント型のパララックスバリア立体画像表示装置を使用することによって所望の立体画像を見ることは可能でない。
【発明の開示】
【発明が解決しようとする課題】
【００４２】
本発明は前述の問題点を解決するために考案された。本発明の目標は、視認距離を減少させることができるフロント型のパララックスバリアを用いた立体画像表示装置を提供することである。
【課題を解決するための手段】
【００４３】
本発明の一態様によれば、以下を含む立体画像表示装置が提供される。後偏光フィルムがその後面上に積層され、第１スイッチング素子層がその前面上に積層される第１基板と、カラーフィルター層がその上に積層される第２基板と、前記第１スイッチング素子層と前記カラーフィルター層間に挟入された第１液晶層と、を有する２Ｄ画像液晶表示パネルと；
前偏光フィルムがその前面上に積層され、透明電極層がその後面上に積層される第３基板と、保護フィルムと、前記透明電極層と前記保護フィルム間に挟入された第２液晶層と、を有するパララックスバリアと；
前記パララックスバリアの保護フィルムと前記２Ｄ画像液晶表示パネルの第２基板間に挟入された中間偏光フィルム。
【００４４】
前記２Ｄ画像液晶表示パネルはＴＦＴ液晶表示パネルであってもよい。
【００４５】
前記パララックスバリアはＴＮ液晶表示パネルであってもよい。
【００４６】
前記パララックスバリアはＳＴＮ液晶表示パネルであってもよい。
【００４７】
前記パララックスバリアはＦＳＴＮ液晶表示パネルであってもよい。
【００４８】
前記保護フィルムの厚さは約０.３ｍｍ以下（０.１ｍｍ〜０.３ｍｍの範囲）であってもよい。
【発明を実施するための最良の形態】
【００４９】
以下、本発明の実施形態に係る立体画像表示装置を添付図面を参照して詳細に説明する。
【００５０】
図４は、本発明の実施形態に係る立体画像表示装置を図式的に説明する断面図である。
【００５１】
前記立体画像表示装置では、パララックスバリア液晶表示（ＬＣＤ）パネルが２Ｄ画像液晶表示パネルの前部に配置される。かかる構造を持つ立体画像表示装置はフロント型のパララックスバリア立体画像表示装置と呼ばれる。
【００５２】
前記２Ｄ画像液晶表示パネルには、後偏光フィルム１１０が少なくともその後面上に積層され、第１スイッチング素子層１３０がその前面上に積層される第１基板１２０と、その上に積層されたカラーフィルター層１５０を有する第２基板２２０と、前記第１スイッチング素子層１３０と前記カラーフィルター層１５０間に挟入された第１液晶層１４０と、が含まれる。
【００５３】
前記２Ｄ画像液晶表示パネル１００には、好ましくはＴＦＴ液晶表示パネルを用いる。
【００５４】
この場合、前記第１スイッチング素子層１３０の第１スイッチング素子はＴＦＴである。
【００５５】
ここで、前記２Ｄ画像液晶表示パネル１００は、ＴＮ（ねじれネマチック）、ＳＴＮ（超ねじれネマチック）、ＦＳＴＮ（フィルム補償型超ねじれネマチック）、ＨＴＮ（ハイブリッド・ツイストネマチック）、及びＣＳＴＮ（カラー超ねじれネマチック）液晶表示パネルのうちの１つであってもよい。前記ＴＦＴ液晶表示パネルの構造、操作性、及びタイプは当技術分野で公知されているため、その詳細な説明は省略する。
【００５６】
前記後偏光フィルム１１０はバックライト（図示せず）から放射された白色光を偏光する働きをする。前記第１基板１２０はガラスからなり、前記第１スイッチング素子層１３０の基層と画素電極層（図示せず）としての機能を果たす。
【００５７】
前記ＴＦＴは、前記第１スイッチング素子層１３０においてマトリックスパターンに配設される。
【００５８】
画像（２Ｄ画像）は、画像信号に基づいて前記ＴＦＴを活性化することによって表示される。
【００５９】
前記図に示していないが、ＩＴＯ又は同種のものからなる画素電極層が前記第１スイッチング素子層１３０の下に配置される。ＲＧＢカラーフィルターが、前記カラーフィルター層１５０において所定のパターンで配設される。
【００６０】
前記図に示していないが、ＩＴＯ又は同種のものからなる共通電極層が、前記カラーフィルター層１５０の下に配置される。液晶分子を整列させるため、電圧が配線１７０を介して前記画素電極層と前記共通電極層間に印加され、画像は前記第１スイッチング素子層の個々のスイッチング素子をオンオフすることによって表示される。
【００６１】
上記のように、液晶分子を含む前記第１液晶層１４０は、前記第１スイッチング素子層１３０と前記カラーフィルター層１５０間、つまり、前記第１スイッチング素子層１３０と前記共通電極層間に挟入される。前記図に示していないが、前記液晶分子を整列させるための整合フィルムが設けられる。
【００６２】
前記第１液晶層１４０を貫通する光は、前記ＲＧＢカラーフィルターによって所定の色を持つ。この構成により、２Ｄ画像が前記２Ｄ画像液晶表示パネル１００上に表示される。一方、前記２Ｄ画像は、前記立体画像表示装置において使用されるため、左目画像と右眼画像に分割・表示される。
【００６３】
前記パララックスバリア液晶表示パネル２００には、前偏光フィルム２１０が少なくともその前面上に積層され、透明電極層２３０がその後面上に積層される第３基板と、保護フィルム２５０と、前記透明電極層２３０と前記保護フィルム２５０間に挟入された第２液晶層２４０と、が含まれる。対向電極層（図示せず）が前記保護フィルム２５０上に配置される。
【００６４】
複数の透明電極が前記透明電極層２３０においてバンド形状に配設される。同様に、複数の対向電極が、前記複数個の透明電極に対向するように、対向電極層に配設される。前記第２液晶層２４０の液晶分子は、配線２７０を介して前記透明電極と前記対向電極間に印加される電圧により整列される。前記ＴＦＴ液晶表示パネルから入射された光は、前記液晶分子の整列方向に応じて遮断されるか又は透過される。
【００６５】
光の遮断／透過機能を持つかかるバンド形状部材はパララックスバリアと呼ばれる。前記パララックスバリアは、その左目画像とその右眼画像とがそれぞれ左目と右目に入射されるように前記２Ｄ画像液晶表示パネル１００上に表示させることによって、観察者が立体画像を見ることを可能にする。
【００６６】
前記パララックスバリア液晶表示パネル２００はＴＮ（ねじれネマチック）液晶を用いた液晶表示パネルとして具体化することが可能である。あるいは、前記パララックスバリア液晶表示パネル２００は、ＳＴＮ、ＦＳＴＮ、ＨＴＮ、及びＣＳＴＮ液晶表示パネルの１つの液晶表示パネルを用いるものでもよく、又は所定のパターンを有するフィルムタイプであってもよい。かかる液晶表示パネルは当業者によって実践することが可能であるので、その詳細な説明は省略する。
【００６７】
前述の構成を有する本発明の実施形態に係る立体画像表示装置では、前記保護フィルム２５０を厚層で構成する必要がない。
【００６８】
上記のように、過去の立体画像表示装置では、前記立体画像表示装置の上部層（図３を参照）として配置されている前記保護フィルム２５が外部の衝撃に耐える必要があるので、前記保護フィルムは厚層で構成される。通常、過去の保護フィルム２５の厚さは０.５５〜１.１ｍｍの範囲にある。しかしながら、本発明の実施形態に係る保護フィルム２５０は前記立体画像表示装置の中間層として配置される。つまり、本発明の実施形態に係る保護フィルムは外部の衝撃に耐えるのに十分な厚さで形成される必要がなく、その外部の衝撃は前記第２基板２２０によって防止される。よって、本発明に係る保護フィルム２５０を０.３ｍｍ以下の厚さ具体化することも可能である。
【００６９】
図４では、画像とパララックスバリア間の距離ｅは前記第１液晶層１４０から前記第２液晶層２４０までの距離に相当する。
【００７０】
前記図に示すように、前記カラーフィルター層１５０、前記第２基板１６０、前記中間偏光フィルム１８０'、及び保護フィルム２５０は、前記第１液晶層１４０と前記第２液晶層２４０間に挟入される。図３に示した従来技術と比較すると、本発明の実施形態に係る立体画像表示装置では、従来技術における第３基板２２の代わりに薄い保護フィルム２５０が前記第１液晶層１４０と前記第２液晶層２４０間に挟入される。前記パララックスバリア液晶表示パネル２００の配線２７０は、その前面上に形成された前記第３基板２２０に配置される。図４から明らかなように、本発明の実施形態に係る立体画像表示装置では、前記パララックスバリア液晶表示パネル２００の配線２７０がその前面上に形成された前記第３基板２２０に配置されるので、前記２Ｄ画像液晶表示パネル１００の配線１７０からの距離はさらに広がり、それによって前記配線間の短絡がさらに防止される。
【００７１】
従来技術における前記第３基板の厚さは、モニター用では約０.７ｍｍ、携帯端末用では約０.５ｍｍである。本発明の実施形態の保護フィルム２５０の厚さは約０.３ｍｍ以下である。
【００７２】
よって、本発明の実施形態によれば、前記立体画像表示装置がモニター用に具体化される際、前記第２基板１６０の厚さは約０.７ｍｍ、前記中間偏光フィルム１８０’の厚さは約０.１ｍｍ、及び前記保護フィルム２５０の厚さは約０.３ｍｍであり、その全厚は約１.１ｍｍである。よって、画像と前記パララックスバリア間の距離ｅは約１.１ｍｍとなる。前記厚さを式１に代入すると、本発明の実施形態に係るモニター用立体画像表示装置の視認距離Ｌ約７０ｃｍが得られる。
【００７３】
一方、本発明の実施形態によれば、前記立体画像表示装置が携帯端末用に具体化される際、前記第２基板１６０の厚さは約０.３ｍｍ、前記中間偏光フィルム１８０’の厚さは約０.１ｍｍ、及び前記保護フィルム２５０の厚さは約０.３ｍｍであり、その全厚は約１.７ｍｍである。よって、画像と前記パララックスバリア間の距離ｅは約０．７ｍｍとなる。前記厚さを式１に代入すると、本発明の実施形態に係る立体画像表示装置の視認距離Ｌ約７０ｃｍが得られる。反対に、７０ｃｍは大きな距離であるが、携帯端末用立体画像表示装置では、その画面サイズが小さく、焦点は「ダイヤモンドゾーン」と呼ばれる４０〜９０ｃｍの一定距離範囲で形成される。前記携帯端末用立体画像表示装置の視認距離７０ｃｍが前記ダイヤモンドゾーンに属するので、観察者は立体画像を見ることができる。
【００７４】
前記ダイヤモンドゾーンは、各種実験を通して本発明者によって最初に見出されたものである。
【００７５】
このように、本発明の実施形態に係る立体画像表示装置では、前記従来技術と比べて、その視認距離を著しく減少することが可能である。よって、過去では商業化し得なかった前記フロント型のパララックスバリア立体画像表示装置を商業化することが可能である。
【００７６】
本発明の実施形態に係る立体画像表示装置では、前記パララックスバリア液晶表示パネル２００の配線２７０がその前面上に形成された前記第３基板２００に配置されるので、前記２Ｄ画像液晶表示パネル１００の配線１７０からの距離をさらに広げることが可能であり、それによって前記配線間の短絡がさらに防止される。
【産業上の利用可能性】
【００７７】
本発明によれば、前記立体画像表示装置では、画像とパララックスバリア間の距離を減少させることによってその視認距離を減少することが可能である。
【００７８】
本発明によれば、画像と前記パララックスバリア間の不必要な積層を除去することによって、前記立体画像表示装置を容易に製造し、その製造コストを低減することが可能である。
【００７９】
本発明を前記例示的実施形態を参照して説明したが、本発明は前記実施形態に限定されるものではなく、当業者であれば、本発明が、添付の特許請求の範囲に記載の本発明の真の趣旨及び範囲から逸脱することなくさまざまに変更かつ変性され得ることが理解できるであろう。
【図面の簡単な説明】
【００８０】
【図１】図１は一般的な２Ｄ画像液晶表示パネルを図式的に説明する断面図である。
【図２】図２は一般的なパララックスバリア液晶表示パネルを図式的に説明する断面図である。
【図３】図３は公知の立体画像表示装置を図式的に説明する断面図である。
【図４】図４は、本発明の実施形態に係る立体画像表示装置を図式的に説明する断面図である。
【図１】
2009524117.tif 000004
【図２】
2009524117.tif 000005
【図３】
2009524117.tif 000006
【図４】
2009524117.tif 000007
【国際調査報告】
2009524117.tif 000008
2009524117.tif 000009